(57)【特許請求の範囲】
【請求項１】
導尿バッグとストマ用蓄尿袋を併用する装置に於いて、両者を繋ぐパイプの中間で使用し、固定個所を人体下部の大腿部や膝近辺とする一方向に湾曲する固定板の四隅の片側二隅に設けるＵ字形状に近い環掛けと、反対側の二隅の二箇所に、頭部に前記環掛けに係止する環を取り付け端末に両面粘着テ−プを取り付けた固定バンドを通す通し環を設けて、前記固定バンドにより固定板を人体に固定できるようにすると共に、前記固定板の略中央に設ける連結穴と、前記パイプの外径より内径を多少小さくする円筒部を有し、該円筒部の側面片側に蝶番部を設けてヒンジ結合し反対側の側面に平坦な圧縮部を設け、圧縮部において固定ボルト・ナットにより円筒部の開閉を可能とし、前記パイプを挟持することのできる固定管の前記円筒部の略中央部に穿つ連結穴間を、支持環を介してボルト・ナットにより、前記固定板と前記固定管を回転自在に固定して成る、パイプの張力によるストマ用蓄尿袋の貼り付け弛み或は脱落による尿漏れ防止用の導尿バッグ等小口径パイプ固定具。
【発明の詳細な説明】
【発明の詳細な説明】
【０００１】
【技術分野】  本発明は、導尿バック及びストマ用蓄尿袋の同時使用時に於ける尿漏れ防止を目的とする固定具に関するものである。【０００２】
【背景技術】  従来から導尿バッグ使用時に併用するストマ用蓄尿袋の尿漏れ防止は、人体腹部に直接ストマの周囲を押さえ貼り付ける安定用バンド等が使用されている。
上記、従来公知の固定具にあっては、人体腹部に張り付けて使用するものであり、人体の活動に伴う張力により容易に剥がれて充分に尿漏れを防止出来る物ではなく、以下述べるような固定具に要求される用件を満しているものでは無かった。
１）人体と固定具との取付け、取外しの容易性
２）固定具と導尿バッグパイプの固定及び取外しの容易性
３）固定具における導尿バッグの保持性
４）固定具における導尿バッグパイプ先端部とストマ用蓄尿袋との結合の強固性
５）固定具の軽量化と操作の容易性
６）固定具の材質及び適正形状
上記要件を満たすことのできる尿漏れ防止固定具を同一出願人によって提案されているが、これにおいても尚、就寝時等における人体の急激な寝返り或は人体の移動に伴う導尿バッグに繋がるパイプの張力に拠り生ずる剥がれや脱落を阻止し、完全な尿漏れ防止を行なうことが困難な状況にある。【０００３】
【特許文献１】  特願２００３−１４９１１８
【０００４】
【発明の開示】
【発明が解決しようとする課題】  従って、本発明における課題は、
１）導尿バッグに繋がるパイプの張力に対する予防処置が脆弱である
２）腹部を押さえる粘着物等の時間経過による能力の低下
３）人体側から固定能力以上の大きな張力に対する耐性
等の条件を満たす導尿バッグ等の小口径パイプ固定具を提供することである。【０００５】
【課題を解決するための手段】  導尿バッグとストマ用蓄尿袋を併用する装置に於いて、両者を繋ぐパイプの中間に設ける、固定個所を人体下部の大腿部や膝近辺とする一方向に湾曲する固定板の四隅の片側二箇所に設けるＵ字形状に近い環掛けと、反対側二隅に、頭部に環を取り付け端末に両面粘着テープを取り付ける固定バンドを通す通し環を設け、この固定バンドによって前記固定板を人体に固定できるようにするとともに、前記パイプを挟持することのできる、片側に設ける蝶番部でヒンジ結合し反対側側面に平坦な圧縮部を設けて、この平坦部でボルト・ナットにより開閉自在となる、前記パイプの外径より多少小さめの内径を有する円筒部を形成する固定管の前記円筒部の一側面略中央部に設ける連結穴と前記固定板の略中央に形成する連結穴とを、支持管を介して、回転自在に連結して成る導尿バッグ等の小口径パイプの固定具としてストマ用蓄尿袋の弛み或は脱落等による尿漏れを防止するものである。
導尿バッグとストマ用蓄尿袋を繋ぐパイプを固定管によって固定し、該固定管を固定板に回動自在に結合して、この固定板の環掛けに二本の固定バンドの一端に設けてある環を掛け、他端側を通し環に通して、人体下部の大腿部或は膝近辺に巻きつけて両面粘着テープで止めて使用するものである。【０００６】
【発明の効果】  課題としている、パイプに作用する張力に拠る固定板の剥離や脱落を防止し、従来の固定板に比べて、より完全に実施できる耐張力性の高い固定具を提供することを十分に満たしているものであり、ストマ用蓄尿袋からの尿漏れがなく安心して使用できるので精神的負担が軽減され、更に、腹部に貼り付けるための粘着テ−プ等を用いないために、時間経過による粘着力の低下による能力の低下を来たさない固有の効果を有している。【０００７】
【発明を実施するための最良の形態】  以下、発明の実施形態について、図の実施例に従って詳述する。
図１は、本発明に関わる固定具の使用例を示す概念図であり、導尿バッグ１とストマ用畜尿袋２を繋いでいる導尿バッグのパイプ３の略中間に固定板４を設けて、この固定板４に設ける環掛け５に二本の固定バンド８の一端側頭部に設ける環７を掛け、固定板４に回転自在に結合する固定管１０の円筒部１２でパイプ３を挟持している。固定板４の環掛け５を設ける反対側二隅に固定バンド８を通す通し環を設けてある。【０００８】  図２は、固定板及び固定管の一実施例を示すものであり、図３及び図４は図１における固定板を示す平面図と見取図である。
一方向に湾曲する略四角形の薄い固定板４の四隅の片側二箇所に、略Ｕ字形に近い環掛け５を折り曲げて形成し、反対側二隅には二本の固定バンド８が通る通し環６を設けてある。頭部に環７を有し他端末に両面粘着テープを取り付ける固定バンド８の環７を固定板４の環掛け５に引っ掛け、固定板４を大腿部等に当てて、固定バンド８を通し環６に通して端末の両面粘着テ−プによって使用者の体格に合わせて大腿部等を廻して人体に固定できるようになっている。
固定板４の中央に連結穴９を穿ち、この連結穴９と、パイプ３を挟持し固定するパイプ３の外径より小さい内径を形成し、片側に設ける蝶番部１１によりヒンジ結合し反対側に形成する平坦な圧縮部において嵌合穴１７を通す固定ボルト・ナット１６で締め付け、パイプ３を開閉自在に挟んで固定できる円筒部１２を設けて成る固定環１０の円筒部１２の下方中央部に穿つ連結穴１３との間に支持環１８を介して、この支持環１８の端面での滑りを利用して着脱自在且つ回転自在に結合するものである。【０００９】  図３及び図４に示す固定板４の実施例にあっては、左片側中央部と右片側中央部に空間部を形成し、左側二隅にＵ字状の環掛け５と右側二隅に通し環６を設けるＸ形状のものを示してあるが、本発明における固定板４の形状はこれに限るものではなく基本的には四角形であり、人体の取り付け部位に合うように一側側に湾曲するものであればよい。亦、大凡の大きさとしては、縦横の長さが５０、３０ミリメ−トル程度のものが標準的となり、素材としては金属、非金属を問わず可撓性を有するものが望ましい。【００１０】  図５及び図６には、固定管１０の実施例を示してある。
図５は固定管１０を開いた状態の平面図であり、中央に蝶番部１１、右側はパイプ３を固定したときに下側となる円筒部１２とその外側に平坦な圧縮部１５を形成し、蝶番部１１の左側は、パイプ３の固定時に上側となる円筒部１２とその外側に平坦な圧縮部１５を形成するものである。更に下側円筒部１２の略中央に連結穴１３を穿ち、固定板１０の連結穴９を通じてボルト・ナット１４によって結合されるようになっている。下側となる右圧縮部１５には固定ボルト・ナット１６のボルトが埋め込み固定されている。上側の平坦な圧縮部１５の中央に細長の嵌合穴１７を穿ち、固定管１０を閉じたときに、この嵌合穴１７に前記ボルトが通り、パイプ３を上側からナットで締め付けられるようになっている。固定管１０が閉じた状態における円筒部１２の内径がパイプ３の外径より小さく形成することに依って、使用時にパイプ３が強固に圧縮固定され、パイプ３に作用する張力に対して移動することなく耐性を示し目的を達成出来る物となる。【００１１】  図６は、固定管１０を閉じた状態を示す外観図であるが、蝶番部１１の略中央に固定利用穴１９を設けることによって、この固定利用穴１９を利用して固定管１０を固定板４と分離して単独に他の使用に供することも可能となるものである。【００１２】
【産業上の利用可能性】  導尿バッグとストマ用蓄尿袋を繋ぐパイプの固定のみならず、本発明に関る固定管は単独でも小口径のパイプを固定する用途で利用可能である。
【図面の簡単な説明】
【図１】  使用例を示す概念図。
【図２】  固定具の実施例を示す外観図。
【図３】  固定板の平面図
【図４】  図３に示す固定板の側面図
【図５】  固定管の開状態平面図
【図６】  図５の固定管の閉状態外観図。
【符号の説明】
１    導尿バッグ
２    ストマ用蓄尿袋
３    パイプ
４    固定板
５    環掛け
６    通し環
７    環
８    固定バンド
９    連結穴
１０  固定管
１１  蝶番部
１２  円筒部
１３  連結穴
１４  ボルト・ナット
１５  圧縮部
１６  固定ボルト・ナット
１７  嵌合穴
１８  支持環
１９  固定利用穴
【要約】
【課題】
尿漏れに因る寝具の汚れとその処理時の汚臭に因る不快感等を取り除き、精神的不安感を解消する着脱の容易な且つ結合の強固な操作上の自由度の高い簡単な導尿バッグとストマ用蓄尿袋併用時における尿漏れ防止のためのパイプ固定具を提供すること。
【解決手段】
導尿バッグとストマ用蓄尿袋を繋ぐパイプの一部位に開閉、嵌合、圧縮固定できるパイプ固定管を、湾曲する四角を有する四隅に各々二個のU字状環掛けと通し環を形成する固定板に支持環を介して回転自在に結合する小口径パイプの固定具であり、固定用バンドを固定板に通して人体に固定する用具として課題を解決している。
【選択図】  図２
【図１】
0003722442.tif 000002
【図２】
0003722442.tif 000003
【図３】
0003722442.tif 000004
【図４】
0003722442.tif 000005
【図５】
0003722442.tif 000006
【図６】
0003722442.tif 000007